(57)【要約】【課題】互いに異なる複数の通信回線を取り扱う場合やエコーキャンセラーが多重接続されてしまう場合にも、音声信号に付加される回り込みを効果的に消去できるようにする。【解決手段】制御ユニット１１にエコーキャンセラー１２１，１３１の処理の実行・停止を制御する機能を持たせ、回り込みの影響が少ないＩＰ内線インタフェース回路１２，１３を接続する場合には、エコーキャンセラー１２１，１３１に対し停止制御を行い、ＩＰ内線インタフェース回路１２と局線インタフェース回路１４との間を接続する場合には、エコーキャンセラー１２１に対し実行制御を行うようにした。【選択図】      図１
2005136823.tif 000002
【特許請求の範囲】
【請求項１】
音声パケットを伝送する第１の通信回線を接続し、該音声パケットに付加される回り込みを消去するエコーキャンセラー機能を備えた複数の第１のインタフェースユニットと、
アナログの音声信号を伝送する第２の通信回線を接続する第２のインタフェースユニットと、
呼の設定要求に応じて、前記第１のインタフェースユニット相互間、及び前記第１のインタフェースユニットと前記第２のインタフェースユニットとの間を選択的に接続し、前記エコーキャンセラー機能の処理の実行・停止を制御する制御ユニットとを具備したことを特徴とする電話交換装置。
【請求項２】
前記制御ユニットは、前記第１のインタフェースユニット相互間を接続する場合に、前記エコーキャンセラー機能に対し停止制御を行うことを特徴とする請求項１記載の電話交換装置。
【請求項３】
前記制御ユニットは、前記第１のインタフェースユニットと前記第２のインタフェースユニットとの間を接続する場合に、前記エコーキャンセラー機能に対し実行制御を行うことを特徴とする請求項１記載の電話交換装置。
【請求項４】
音声パケットを伝送する第１の通信回線及びアナログの音声信号を伝送する第２の通信回線を接続する電話交換装置を２以上備え、これら複数の電話交換装置相互間を音声パケットを伝送する第３の通信回線で接続するネットワーク電話システムであって、
前記複数の電話交換装置の各々に設けられ、前記第１の通信回線を接続し、該音声パケットに付加される回り込みを消去するエコーキャンセラー機能を備えた第１のインタフェースユニットと、
前記複数の電話交換装置の各々に設けられ、前記第２の通信回線を接続する第２のインタフェースユニットと、
前記複数の電話交換装置の各々に設けられ、前記第３の通信回線を接続し、該音声パケットに付加される回り込みを消去するエコーキャンセラー機能を備えた第３のインタフェースユニットと、
前記第３の通信回線を使用する接続要求が発生した場合に、受け側の電話交換装置において、該接続要求の要求元及び要求先を判定する判定手段と、
この判定手段による判定結果に基づいて、前記エコーキャンセラー機能の処理の実行・停止を制御する制御手段とを具備したことを特徴とするネットワーク電話システム。
【請求項５】
前記制御手段は、前記判定手段による判定結果から前記要求元が前記第１の通信回線であり、要求先が他の電話交換装置に接続される第２の通信回線である場合に、要求先となる電話交換装置の第３のインタフェースユニットに設けられたエコーキャンセラー機能のみ実行させることを特徴とする請求項４記載のネットワーク電話システム。
【請求項６】
前記制御手段は、前記判定手段による判定結果から前記要求元が前記第２の通信回線であり、要求先が他の電話交換装置に接続される第１の通信回線である場合に、前記接続要求の受け側となる電話交換装置の第３のインタフェースユニットに設けられたエコーキャンセラー機能のみ実行させることを特徴とする請求項４記載のネットワーク電話システム。
【請求項７】
前記制御手段は、前記判定手段による判定結果から前記要求元が前記第１の通信回線であり、要求先が他の電話交換装置に接続される第１の通信回線である場合に、前記エコーキャンセラー機能を全て停止させることを特徴とする請求項４記載のネットワーク電話システム。
【発明の詳細な説明】
【技術分野】
【０００１】
この発明は、例えば音声パケットを伝送するＩＰ網を接続可能で、かつ音声パケットに付加される回り込みを消去するエコーキャンセラー機能を備えた電話交換装置、及び複数の電話交換装置をＩＰ網を介して接続したネットワーク電話システムに関する。
【背景技術】
【０００２】
近年では、ＬＡＮに通話処理機能とメディア情報処理機能とを備えたネットワーク電話端末（ＩＰ（Internet Protocol）電話端末）を接続すると共に、ＬＡＮを主装置を介して公衆網等の外部通信網に接続し、ＩＰ電話端末及び主装置においてプロトコル変換及びデータのフォーマット変換等を行なうことにより、ＩＰ電話端末相互間及びＩＰ電話端末と外部通信網との間で通信を可能にするシステムが提唱されている。
【０００３】
ところで、この種のシステムでは、主装置において、ＩＰ電話端末と局線とを接続する際に、音声信号に回り込みが付加されることになる。そこで、音声信号に付加される回り込みを消去するエコーキャンセラー機能を主装置に持たせることが検討されている（例えば、特許文献１）。
【特許文献１】ＵＳ６，４０４，８８７，Ｂ１
【発明の開示】
【発明が解決しようとする課題】
【０００４】
ところで、上記エコーキャンセラー機能は、ＩＰ電話端末を接続するＩＰインタフェースユニットに内蔵されており、ＩＰ電話端末と局線とを接続する場合には、効果的に動作するが、回り込みの影響が少ないＩＰ電話端末同士を接続する場合には、逆に不安定になる。特に、ＩＰ電話システムでは、複数の主装置間をＩＰネットワークを介して接続したシステムが構築されており、この場合、エコーキャンセラーが多重接続されてしまい、これによりエコーの消去動作が不安定になってしまうことになる。
【０００５】
そこで、この発明の目的は、互いに異なる複数の通信回線を取り扱う場合やエコーキャンセラーが多重接続されてしまう場合にも、音声信号に付加される回り込みを効果的に消去し得る電話交換装置及びネットワーク電話システムを提供することにある。
【課題を解決するための手段】
【０００６】
この発明は、上記目的を達成するために、以下のように構成される。  
（１）音声パケットを伝送する第１の通信回線を接続し、該音声パケットに付加される回り込みを消去するエコーキャンセラー機能を備えた複数の第１のインタフェースユニットと、アナログの音声信号を伝送する第２の通信回線を接続する第２のインタフェースユニットと、呼の設定要求に応じて、第１のインタフェースユニット相互間、及び第１のインタフェースユニットと第２のインタフェースユニットとの間を選択的に接続し、エコーキャンセラー機能の処理の実行・停止を制御する制御ユニットとを備えるようにしたものである。
【０００７】
（１）の構成によれば、制御ユニットにエコーキャンセラー機能の処理の実行・停止を制御する機能を持たせるようにしたので、回り込みの影響が少ない第１のインタフェースユニット相互間を接続する場合には、エコーキャンセラー機能に対し停止制御を行い、第１のインタフェースユニットと第２のインタフェースユニットとの間を接続する場合には、エコーキャンセラー機能に対し実行制御を行うというように、接続される通信回線ごとに最適なエコーキャンセラー機能のみを動作させることができる。
【０００８】
（２）音声パケットを伝送する第１の通信回線及びアナログの音声信号を伝送する第２の通信回線を接続する電話交換装置を２以上備え、これら複数の電話交換装置相互間を音声パケットを伝送する第３の通信回線で接続するネットワーク電話システムであって、複数の電話交換装置の各々に設けられ、第１の通信回線を接続し、該音声パケットに付加される回り込みを消去するエコーキャンセラー機能を備えた第１のインタフェースユニットと、複数の電話交換装置の各々に設けられ、第２の通信回線を接続する第２のインタフェースユニットと、複数の電話交換装置の各々に設けられ、第３の通信回線を接続し、該音声パケットに付加される回り込みを消去するエコーキャンセラー機能を備えた第３のインタフェースユニットと、第３の通信回線を使用する接続要求が発生した場合に、受け側の電話交換装置において、該接続要求の要求元及び要求先を判定する判定手段と、この判定手段による判定結果に基づいて、エコーキャンセラー機能の処理の実行・停止を制御する制御手段とを備えるようにしたものである。
【０００９】
（２）の構成によれば、接続要求先が第２の通信回線であると判定された場合にのみ接続要求先となる電話交換装置内の第３のインタフェースユニットに設けられたエコーキャンセラー機能が使用されるので、多数のエコーキャンセラー機能の不要な使用を防止してエコーキャンセラー機能の有効利用率を高めることができる。
【発明の効果】
【００１０】
以上詳述したようにこの発明によれば、互いに異なる複数の通信回線を取り扱う場合やエコーキャンセラーが多重接続されてしまう場合にも、音声信号に付加される回り込みを効果的に消去し得る電話交換装置及びネットワーク電話システムを提供することができる。
【発明を実施するための最良の形態】
【００１１】
以下、この発明の実施形態について図面を参照して詳細に説明する。  
（第１の実施形態）  
図１は、この発明の第１の実施形態に係わる交換システムの概略構成を示す図である。
【００１２】
交換システムは、同図に示すように、主装置１に、複数のＩＰ電話端末２（２−１〜２−ｉ），３（３−１〜３−ｊ）をそれぞれＬＡＮ(Local Area Network)４，５を介して任意に接続して構成されている。
【００１３】
主装置１は、さらに、制御ユニット１１、ＩＰ内線インタフェース回路１２，１３、局線インタフェース回路１４を備えている。そして、制御ユニット１１、ＩＰ内線インタフェース回路１２，１３、局線インタフェース回路１４は、バス１５を介して互いに接続されている。
【００１４】
制御ユニット１１は、ＩＰ内線インタフェース回路１２，１３及び局線インタフェース回路１４を任意に交換接続する。
【００１５】
ＩＰ内線インタフェース回路１２には、ＩＰ電話端末２が必要に応じて接続される。ＩＰ内線インタフェース回路１２は、接続されたＩＰ電話端末２に関する内線インタフェース動作を行う。また、ＩＰ内線インタフェース回路１２は、上記内線インタフェース動作に係わる種々の制御情報の授受を、バス１５を介して制御ユニット１１との間で行なう。
【００１６】
ＩＰ内線インタフェース回路１３には、ＩＰ電話端末３が必要に応じて接続される。ＩＰ内線インタフェース回路１３は、接続されたＩＰ電話端末３に関する内線インタフェース動作を行う。また、ＩＰ内線インタフェース回路１３は、上記内線インタフェース動作に係わる種々の制御情報の授受を、バス１５を介して制御ユニット１１との間で行う。
【００１７】
局線インタフェース回路１４には、公衆網ＮＷに接続される局線Ｌが必要に応じて接続される。局線インタフェース回路１４は、接続された局線Ｌに関するインタフェース動作を行なう。また、局線インタフェース回路１４は、上記インタフェース動作に係わる種々の制御情報の授受を、バス１５を介して制御ユニット１１との間で行なう。
【００１８】
ところで、上記ＩＰ内線インタフェース回路１２，１３には、音声信号に付加される回り込みを消去するエコーキャンセラー１２１，１３１が設けられている。これらエコーキャンセラー１２１，１３１は、制御ユニット１１によって処理の実行・停止が制御されることになる。
【００１９】
次に、以上のような構成における動作について説明する。  
例えばＩＰ電話端末２−１とＩＰ電話端末３−１との間で通話が行なわれる場合に、エコーキャンセラー１２１，１３１が多重接続される。一般的に、エコーキャンセラー１２１，１３１の多重接続を行うと、図２に示すように、エコーの収束時間が長くなったり、最悪、収束しなくなる場合がありえる。
【００２０】
そこで、制御ユニット１１は、呼の設定要求に応じて、エコーキャンセラー１２１，１３１の実行・停止を制御するようにしている。図３は、制御ユニット１１の処理動作を示すフローチャートである。
【００２１】
いま、例えばＩＰ電話端末２−１において公衆網ＮＷの加入者電話端末に対する発信が行われ、これに応じてＬＡＮ４から着信呼が主装置１に到来したとする。すると、その着信呼はＩＰ内線インタフェース回路１２で検出されて、バス１５を介して制御ユニット１１に通知される。
【００２２】
そして、制御ユニット１１は、通知された着信呼から着信先のダイヤル番号を分析し、この分析結果により着信先のユニットがハイブリット回路を搭載しているか否かの判断を行う（ステップＳＴ３ｂ）。ここで、着信先が公衆網ＮＷであることを判定した場合（ＹＥＳ）に、制御ユニット１１は、エコーキャンセラー１２１を動作させる（ステップＳＴ３ｂ）。
【００２３】
一方、ＩＰ電話端末２−１においてＩＰ電話端末３−２に対する発信が行われ、これに応じてＬＡＮ４から着信呼が主装置１に到来したとする。そして、着信先がＩＰ電話端末３−２であることを判定した場合（ＮＯ）に、制御ユニット１１は、エコーキャンセラー１２１，１３１を停止させる（ステップＳＴ３ｃ）。
【００２４】
なお、発信元が公衆網ＮＷの加入者電話端末である場合にも、同様な処理動作が行われる。
【００２５】
以上のように上記第１の実施形態では、制御ユニット１１にエコーキャンセラー１２１，１３１の処理の実行・停止を制御する機能を持たせるようにしたので、回り込みの影響が少ないＩＰ内線インタフェース回路１２，１３を接続する場合には、エコーキャンセラー１２１，１３１に対し停止制御を行い、ＩＰ内線インタフェース回路１２と局線インタフェース回路１４との間を接続する場合には、エコーキャンセラー１２１に対し実行制御を行うというように、接続される通信回線ごとに最適なエコーキャンセラーのみを動作させることができる。
【００２６】
（第２の実施形態）  
図４は、この発明の第２の実施形態に係わる交換システムの概略構成を示す図である。
【００２７】
交換システムは、同図に示すように、主装置６，７を有し、ＬＡＮ８を介して接続されている。主装置６は、複数のＩＰ電話端末Ｔ１（Ｔ１１〜Ｔ１ｎ）をそれぞれＬＡＮ９−１を介して任意に接続する。主装置７は、複数のＩＰ電話端末Ｔ２（Ｔ２１〜Ｔ２ｍ）をそれぞれＬＡＮ９−２を介して任意に接続する。
【００２８】
主装置６は、さらに、制御ユニット６１、ＩＰ内線インタフェース回路６２、ＩＰネットワークインタフェース回路６３、局線インタフェース回路６４を備えている。そして、制御ユニット６１、ＩＰ内線インタフェース回路６２、ＩＰネットワークインタフェース回路６３、局線インタフェース回路６４は、バス６５を介して互いに接続されている。
【００２９】
制御ユニット６１は、ＩＰ内線インタフェース回路６２、ＩＰネットワークインタフェース回路６３及び局線インタフェース回路６４を任意に交換接続する。
【００３０】
ＩＰ内線インタフェース回路６２には、ＩＰ電話端末Ｔ１が必要に応じて接続される。ＩＰ内線インタフェース回路６２は、接続されたＩＰ電話端末Ｔ１に関する内線インタフェース動作を行う。また、ＩＰ内線インタフェース回路６２は、上記内線インタフェース動作に係わる種々の制御情報の授受を、バス６５を介して制御ユニット６１との間で行なう。
【００３１】
ＩＰネットワークインタフェース回路６３には、ＬＡＮ８が必要に応じて接続される。ＩＰネットワークインタフェース回路６３は、接続されたＬＡＮ８に関する内線インタフェース動作を行う。また、ＩＰネットワークインタフェース回路６３は、上記内線インタフェース動作に係わる種々の制御情報の授受を、バス６５を介して制御ユニット６１との間で行う。
【００３２】
局線インタフェース回路６４には、公衆網ＮＷ−１に接続される局線Ｌが必要に応じて接続される。局線インタフェース回路６４は、接続された局線Ｌに関するインタフェース動作を行なう。また、局線インタフェース回路６４は、上記インタフェース動作に係わる種々の制御情報の授受を、バス６５を介して制御ユニット６１との間で行なう。
【００３３】
ところで、上記ＩＰ内線インタフェース回路６２及びＩＰネットワークインタフェース回路６３には、音声信号に付加される回り込みを消去するエコーキャンセラー６２１，６３１が設けられている。これらエコーキャンセラー６２１，６３１は、制御ユニット６１によって処理の実行・停止が制御されることになる。
【００３４】
一方、主装置７は、制御ユニット７１、ＩＰ内線インタフェース回路７２、ＩＰネットワークインタフェース回路７３、局線インタフェース回路７４を備えている。そして、制御ユニット７１、ＩＰ内線インタフェース回路７２、ＩＰネットワークインタフェース回路７３、局線インタフェース回路７４は、バス７５を介して互いに接続されている。
【００３５】
制御ユニット７１は、ＩＰ内線インタフェース回路７２、ＩＰネットワークインタフェース回路７３及び局線インタフェース回路７４を任意に交換接続する。
【００３６】
ＩＰ内線インタフェース回路７２には、ＩＰ電話端末Ｔ２が必要に応じて接続される。ＩＰ内線インタフェース回路７２は、接続されたＩＰ電話端末Ｔ２に関する内線インタフェース動作を行う。また、ＩＰ内線インタフェース回路７２は、上記内線インタフェース動作に係わる種々の制御情報の授受を、バス７５を介して制御ユニット７１との間で行なう。
【００３７】
ＩＰネットワークインタフェース回路７３には、ＬＡＮ８が必要に応じて接続される。ＩＰネットワークインタフェース回路７３は、接続されたＬＡＮ８に関する内線インタフェース動作を行う。また、ＩＰネットワークインタフェース回路７３は、上記内線インタフェース動作に係わる種々の制御情報の授受を、バス７５を介して制御ユニット７１との間で行う。
【００３８】
局線インタフェース回路７４には、公衆網ＮＷ−２に接続される局線Ｌが必要に応じて接続される。局線インタフェース回路７４は、接続された局線Ｌに関するインタフェース動作を行なう。また、局線インタフェース回路７４は、上記インタフェース動作に係わる種々の制御情報の授受を、バス７５を介して制御ユニット７１との間で行なう。
【００３９】
ところで、上記ＩＰ内線インタフェース回路７２及びＩＰネットワークインタフェース回路７３には、音声信号に付加される回り込みを消去するエコーキャンセラー７２１，７３１が設けられている。これらエコーキャンセラー７２１，７３１は、制御ユニット７１によって処理の実行・停止が制御されることになる。
【００４０】
次に、以上のような構成における動作について説明する。  
図５は、制御ユニット６１の処理動作を示すフローチャートである。
【００４１】
いま、例えばＩＰ電話端末Ｔ１１において公衆網ＮＷ−２の加入者電話端末に対する発信が行われ、これに応じてＬＡＮ９−１から着信呼が主装置６に到来したとする（ステップＳＴ５ａ）。すると、その着信呼はＩＰ内線インタフェース回路６２で検出されて、バス６５を介して制御ユニット６１に通知される。
【００４２】
そして、制御ユニット６１は、通知された着信呼から着信先のダイヤル番号を分析し（ステップＳＴ５ｂ）、この分析結果により着信先が主装置７であるか否かの判断を行う（ステップＳＴ５ｃ）。ここで、着信先が主装置７であると判断した場合（Ｙｅｓ）、制御ユニット６１は、該着信呼をＬＡＮ８を介して主装置７に送信する（ステップＳＴ５ｄ）。この場合、エコーキャンセラー６２１，６３１を停止させている。
【００４３】
一方、着信先が主装置６内である場合（Ｎｏ）、制御ユニット６１は、エコーキャンセラー６２１の実行・停止を制御する（ステップＳＴ５ｅ）。
【００４４】
図６は、制御ユニット７１の処理動作を示すフローチャートである。
【００４５】
制御ユニット７１は、着信呼の到来を常に監視しており（ステップＳＴ６ａ）、着信呼が到来すると（Ｙｅｓ）、着信先のユニットがハイブリット回路を搭載しているか否かの判断を行う（ステップＳＴ６ｂ）。ここで、着信先が公衆網ＮＷ−２であることを判定した場合（ＹＥＳ）に、制御ユニット７１は、エコーキャンセラー７３１を動作させる（ステップＳＴ６ｃ）。
【００４６】
一方、ＩＰ電話端末Ｔ１１においてＩＰ電話端末Ｔ２１に対する発信が行われ、これに応じてＬＡＮ８から着信呼が主装置７に到来したとする。そして、着信先がＩＰ電話端末Ｔ２１であることを判定した場合（ＮＯ）に、制御ユニット７１は、エコーキャンセラー７２１，７３１を停止させる（ステップＳＴ６ｄ）。
【００４７】
なお、発信元が公衆網ＮＷ−１の加入者電話端末である場合にも、同様な処理動作が行われる。
【００４８】
以上のように上記第２の実施形態では、着信呼を受けた主装置６において、着信先が公衆網ＮＷ−２であると判定した場合に、主装置７内のＩＰネットワークインタフェース回路７３に設けられたエコーキャンセラー７３１のみを使用するようにしている。
【００４９】
従って、エコーキャンセラー６２１，６３１を無駄に使用することを防止することができ、これによりエコーキャンセラー６２１，６３１，７３１の有効利用率を高めることができ、システム全体の低消費電力化を図ることができる。
【００５０】
（その他の実施形態）  
なお、この発明は上記各実施形態に限定されるものではない。例えば、上記各実施形態では、発信元がＩＰ電話端末である例について説明したが、これに限ることなく、発信元がアナログの電話端末であり、着信先がＩＰ電話端末である場合にも同様にエコーキャンセラーの実行・停止の制御を行うことができる。
【００５１】
また、上記第２の実施形態では、２つの主装置間を接続した例について説明したが、２以上の多数の主装置を接続するようにしてもよい。
【００５２】
その他、システムの構成や種類、主装置といった交換装置の構成や種類、エコーキャンセラーの制御手順等についても、この発明の要旨を逸脱しない範囲で種々変形して実施できる。
【図面の簡単な説明】
【００５３】
【図１】この発明の第１の実施形態に係わる交換システムの概略構成を示す図。
【図２】エコーキャンセラーの多重接続個数とエコー収束時間との関係を示す図。
【図３】同第１の実施形態におけるエコーキャンセラーの制御処理手順を示すフローチャート。
【図４】この発明の第２の実施形態に係わる交換システムの概略構成を示す図。
【図５】同第１の実施形態において、発信元となる主装置の着信呼処理動作を示すフローチャート。
【図６】同第１の実施形態において、着信先となる主装置のエコーキャンセラー制御処理手順を示すフローチャート。
【符号の説明】
【００５４】
１，６，７…主装置、２…ＩＰ電話端末、３…ＩＰ電話端末、４，５，８，９−１，９−２…ＬＡＮ、１１，６１，７１…制御ユニット、１２，６２，７２…ＩＰ内線インタフェース回路、１３…ＩＰ内線インタフェース回路、１４，６４，７４…局線インタフェース回路、１５，６５，７５…バス、６３…ＩＰネットワークインタフェース回路、１２１，１３１，６２１，６３１，７２１，７３１…エコーキャンセラー、ＮＷ…公衆網、Ｌ…局線。
【図１】
2005136823.tif 000003
【図２】
2005136823.tif 000004
【図３】
2005136823.tif 000005
【図４】
2005136823.tif 000006
【図５】
2005136823.tif 000007
【図６】
2005136823.tif 000008